(57)【要約】  中継ユーザ機器（ＵＥ）装置は、遠隔ＵＥのために前記中継ＵＥ装置が中継モードで動作していることを示す情報を含む第１のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）関心インディケーションメッセージを基地局に送信する。前記第１のＭＢＭＳ関心インディケーションメッセージに応じて、前記基地局は、前記中継ＵＥ装置を介して、ブロードキャスト／マルチキャスト情報を前記遠隔ＵＥに提供する。いくつかの場合、制御情報は、前記中継ＵＥ装置を介して前記遠隔ＵＥ装置に提供される。他の場合、関心のあるＭＢＭＳサービスは、前記中継ＵＥ装置を介して前記遠隔ＵＥ装置に提供される。ブロードキャスト／マルチキャスト情報が配信される方法は、前記中継ＵＥ装置又は前記遠隔ＵＥ装置によって決定され得る。
2020519156.tif 000002
【特許請求の範囲】
【請求項１】
中継ユーザ機器（ＵＥ）装置から基地局に、前記中継ＵＥ装置が中継モードで動作していることを示す情報を含む第１のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）関心インディケーションメッセージを送信することと、
遠隔ＵＥ装置にブロードキャスト／マルチキャスト情報を提供することと、を含む方法。
【請求項２】
前記第１のＭＢＭＳ関心インディケーションメッセージを送信することは、前記中継ＵＥ装置のＲＲＣ（Ｒａｄｉｏ  Ｒｅｓｏｕｒｃｅ  Ｃｏｎｔｒｏｌ）状態に基づく、請求項１に記載の方法。
【請求項３】
ブロードキャスト／マルチキャスト情報を提供することは、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）制御情報を提供することを含む、請求項１に記載の方法。
【請求項４】
関心のあるＭＢＭＳサービスの配信方法に基づいて、前記関心のあるＭＢＭＳサービスを選択することをさらに含む、請求項３に記載の方法。
【請求項５】
前記遠隔ＵＥ装置から前記中継ＵＥ装置に、関心のあるＭＢＭＳサービスの配信プリファレンスを含む第２のＭＢＭＳ関心インディケーションメッセージを送信することをさらに含む、請求項３に記載の方法。
【請求項６】
ブロードキャスト／マルチキャスト情報を提供することは、関心のあるＭＢＭＳサービスを提供することを含む、請求項１に記載の方法。
【請求項７】
前記関心のあるＭＢＭＳサービスは、ブロードキャスト配信を介して提供される、請求項６に記載の方法。
【請求項８】
前記関心のあるＭＢＭＳサービスは、ユニキャスト配信を介して提供される、請求項６に記載の方法。
【請求項９】
前記中継ＵＥ装置において、前記遠隔ＵＥ装置からのブロードキャスト／マルチキャスト情報の要求を受信することをさらに含む、請求項１に記載の方法。
【請求項１０】
前記ブロードキャスト／マルチキャスト情報の要求は、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）制御情報の要求を含む、請求項９に記載の方法。
【請求項１１】
前記ＳＣ−ＰＴＭ制御情報は、ＳＣ−ＰＴＭサービスに関連付けられたシステム情報ブロック（Ｓｙｓｔｅｍ  Ｉｎｆｏｒｍａｔｉｏｎ  Ｂｌｏｃｋｓ）、及びＳＣ−ＭＣＣＨ（Ｓｉｎｇｌｅ  Ｃｅｌｌ−Ｍｕｌｔｉｃａｓｔ  Ｃｏｎｔｒｏｌ  Ｃｈａｎｎｅｌ）情報を含む、請求項１０に記載の方法。
【請求項１２】
前記ブロードキャスト／マルチキャスト情報の要求は、関心のあるＭＢＭＳサービスのための第３のＭＢＭＳ関心インディケーションメッセージを含む、請求項９に記載の方法。
【請求項１３】
中継ユーザ機器（ＵＥ）装置であって、
制御部と、
前記制御部に結合された送信部と、を備え、
前記送信部は、
前記中継ＵＥ装置が中継モードで動作していることを示す情報を含む第１のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）関心インディケーションメッセージを基地局に送信し、
ブロードキャスト／マルチキャスト情報を遠隔ＵＥ装置に送信する、中継ＵＥ装置。
【請求項１４】
前記第１のＭＢＭＳ関心インディケーションメッセージの送信は、ＲＲＣ（Ｒａｄｉｏ  Ｒｅｓｏｕｒｃｅ  Ｃｏｎｔｒｏｌ）状態に基づく、請求項１３に記載の中継ＵＥ装置。
【請求項１５】
前記ブロードキャスト／マルチキャスト情報の送信は、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）制御情報の送信を含む、請求項１３に記載の中継ＵＥ装置。
【請求項１６】
前記制御部は、関心のあるＭＢＭＳサービスの配信方法に基づいて、前記関心のあるＭＢＭＳサービスを選択する、請求項１５に記載の中継ＵＥ装置。
【請求項１７】
前記中継ＵＥ装置は、関心のあるＭＢＭＳサービスの配信プリファレンスを含む前記遠隔ＵＥ装置から第２のＭＢＭＳ関心インディケーションメッセージを受信する受信部をさらに備える、請求項１５に記載の中継ＵＥ装置。
【請求項１８】
前記ブロードキャスト／マルチキャスト情報の送信は、関心のあるＭＢＭＳサービスの送信を含む、請求項１３に記載の中継ＵＥ装置。
【請求項１９】
前記関心のあるＭＢＭＳサービスは、ブロードキャスト配信を介して提供される、請求項１８に記載の中継ＵＥ装置。
【請求項２０】
前記関心のあるＭＢＭＳサービスは、ユニキャスト配信を介して提供される、請求項１８に記載の中継ＵＥ装置。
【請求項２１】
前記中継ＵＥ装置は、ブロードキャスト／マルチキャスト情報の要求を前記遠隔ＵＥ装置から受信する受信部をさらに備える、請求項１３に記載の中継ＵＥ装置。
【請求項２２】
前記ブロードキャスト／マルチキャスト情報の要求は、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）制御情報の要求を含む、請求項２１に記載の中継ＵＥ装置。
【請求項２３】
前記ＳＣ−ＰＴＭ制御情報は、ＳＣ−ＰＴＭサービスに関連付けられたシステム情報ブロック及びＳＣ−ＭＣＣＨ（Ｓｉｎｇｌｅ  Ｃｅｌｌ−Ｍｕｌｔｉｃａｓｔ  Ｃｏｎｔｒｏｌ  Ｃｈａｎｎｅｌ）情報を含む、請求項２２に記載の中継ＵＥ装置。
【請求項２４】
前記ブロードキャスト／マルチキャスト情報の要求は、関心のあるＭＢＭＳサービスのための第３のＭＢＭＳ関心インディケーションメッセージを含む、請求項２１に記載の中継ＵＥ装置。
【発明の詳細な説明】
【優先権の主張】
【０００１】
本出願は、両方とも「ＲＥＬＡＹＩＮＧ  ＯＦ  ＢＲＯＡＤＣＡＳＴ／ＭＵＬＴＩＣＡＳＴ  ＤＥＬＩＶＥＲＹ  ＦＲＯＭ  Ａ  ＲＥＬＡＹ  ＵＥ  ＴＯ  Ａ  ＲＥＭＯＴＥ  ＵＥ」という名称の、本発明の譲受人に譲渡された、２０１７年５月５日に出願された米国仮特許出願第６２／５０２，１５５号、及び２０１８年３月１３日に出願された米国仮特許出願第６２／６４２，１８２号に基づく優先権を主張する。
【技術分野】
【０００２】
本発明は、全体として無線通信に関し、より詳細には、ブロードキャスト／マルチキャスト情報を遠隔ユーザ機器装置へ中継することに関する。
【背景技術】
【０００３】
ＬＴＥ（Ｌｏｎｇ−Ｔｅｒｍ  Ｅｖｏｌｕｔｉｏｎ）ネットワーク内に低コストのＭＴＣ（Ｍａｃｈｉｎｅ  Ｔｙｐｅ  Ｃｏｍｍｕｎｉｃａｔｉｏｎｓ）装置を統合することに、大きな関心が寄せられている。ＭＴＣ装置は、人間との対話を必要とすることなく、他の装置と通信することができる装置である。低コストのＭＴＣ装置の１つの重要な例として、スマートウォッチなどのウェアラブル装置が挙げられる。スマートウォッチの、そのユーザのスマートフォンに極めて接近しての共通の使用パターンにより、そのスマートウォッチとそのスマートフォンは、互いに通信するためにＭＴＣを利用することができる。しかし、多くのＭＴＣ装置の小さいフォームファクターによって、バッテリーのサイズ及びＭＴＣ装置内で利用され得る受信回路が、制限される可能性がある。そのことによって、ＭＴＣ装置をＬＴＥネットワーク内に統合することに伴う課題が生まれる。
【発明の概要】
【０００４】
中継ユーザ機器（ＵＥ）装置は、遠隔ＵＥのために前記中継ＵＥ装置が中継モードで動作していることを示す情報を含む第１のＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）関心インディケーションメッセージを基地局に送信する。前記第１のＭＢＭＳ関心インディケーションメッセージに応じて、前記基地局は、前記中継ＵＥ装置を介して、ブロードキャスト／マルチキャスト情報を前記遠隔ＵＥに提供する。いくつかの場合、制御情報は、前記中継ＵＥ装置を介して前記遠隔ＵＥ装置に提供される。他の場合、関心のあるＭＢＭＳサービスは、前記中継ＵＥ装置を介して前記遠隔ＵＥ装置に提供される。ブロードキャスト／マルチキャスト情報が配信される方法は、前記中継ＵＥ装置又は前記遠隔ＵＥ装置によって決定され得る。
【図面の簡単な説明】
【０００５】
【図１】図１は、中継ユーザ機器（ｕｓｅｒ  ｅｑｕｉｐｍｅｎｔ、ＵＥ）装置が、ブロードキャスト／マルチキャスト情報を遠隔ＵＥ装置へ中継する、通信システムの一例のブロック図である。
【０００６】
【図２Ａ】図２Ａは、図１に示す基地局の一例のブロック図である。
【０００７】
【図２Ｂ】図２Ｂは、図１に示すＵＥ装置の一例のブロック図である。
【０００８】
【図３】図３は、ブロードキャスト／マルチキャスト情報が、遠隔ＵＥ装置にどのように配信されるべきかを、遠隔ＵＥ装置が決定する、例示的なメッセージ図である。
【０００９】
【図４】図４は、ブロードキャスト／マルチキャスト情報が、遠隔ＵＥ装置にどのように配信されるべきかを、中継ＵＥ装置が決定する、例示的なメッセージ図である。
【００１０】
【図５】図５は、中継ＵＥ装置が、ブロードキャスト／マルチキャスト情報を遠隔ＵＥ装置に中継する、方法の例のフローチャートである。
【発明を実施するための形態】
【００１１】
低コストのＭＴＣ（Ｍａｃｈｉｎｅ  Ｔｙｐｅ  Ｃｏｍｍｕｎｉｃａｔｉｏｎｓ）装置を接続及び管理するために３ＧＰＰ（３ｒｄ  Ｇｅｎｅｒａｔｉｏｎ  Ｐａｒｔｎｅｒｓｈｉｐ  Ｐｒｏｊｅｃｔ）のＬＴＥ（Ｌｏｎｇ−Ｔｅｒｍ  Ｅｖｏｌｕｔｉｏｎ）技術を用いることに、大きな関心が寄せられている。そのような低コストのＭＴＣ装置の１つの重要な例として、ウェアラブル装置が挙げられる。ウェアラブル装置は、スマートフォンにほとんど常に極めて接近しているという利点も有する。スマートフォンは、ＬＴＥネットワークとそのウェアラブル装置との間の中継としての役割を果たすことができる。
【００１２】
ＬＴＥネットワークにＭＴＣ装置を統合するために、ある種の拡張が行われるべきである。それは、中継ＵＥ装置を介して、ＬＴＥネットワーク（例えば、基地局）から遠隔ユーザ機器（ＵＥ）装置（例えば、ウェアラブル装置）へ情報を中継することを可能にするためのものである。例えば、ユーザ機器からネットワークへの中継は、中継リンクを介した端末間（ｅｎｄ−ｔｏ−ｅｎｄ、Ｅ２Ｅ）のセキュリティ、サービス継続性、可能な場合はＥ２Ｅのサービス品質（Ｑｕａｌｉｔｙ  ｏｆ  Ｓｅｒｖｉｃｅ、ＱｏＳ）、複数の遠隔ユーザ機器（ＵＥ）装置での効率的な動作、及び、ＵＥ装置と基地局（ｅＮＢ）とをリンクするＵｕエアインタフェースと、Ｄ２Ｄ（Ｄｅｖｉｃｅ−ｔｏ−ｄｅｖｉｃｅ）のエアインタフェースとの間の効率的な経路切り替えをサポートするように、拡張されるべきである。Ｄ２Ｄを用いた中継は、Ｂｌｕｅｔｏｏｔｈ及びＷｉ−Ｆｉなどの、非３ＧＰＰ技術に基づくものとすることもできる。商業的なユースケースにおいて、サービス継続性などのいくつかの拡張は、中継を、そのような技術のためにより魅力的なものにすることができる。
【００１３】
ウェアラブル装置の、そのユーザのスマートフォンに接近しての使用パターン、及び（例えば、ウェアラブル装置のバッテリーのサイズの制限、及び追加の受信回路のためのスペースの要件により）基地局とウェアラブル装置との間の直接のＵｕ接続の実用性をより低くし得るフォームファクターの制限により、中継は、ウェアラブル装置のために特に有用となり得る。中継は、中継ＵＥ装置を介してトラフィックを中継させている遠隔ＵＥ装置の、大幅な省電力化を可能にすることもできる。これは特に、広いカバレッジのシナリオに当てはまる。
【００１４】
遠隔ＵＥ装置へ情報を中継するためのコスト効果の高い１つの方法は、遠隔ＵＥ装置と中継ＵＥ装置との間に一方向Ｄ２Ｄリンクを用いることである。この場合、中継ＵＥ装置は、遠隔ＵＥ装置からの上りリンクデータだけを中継するために利用される。このアプローチの有利な点は、Ｄ２Ｄ受信のための追加の無線周波数（ＲＦ）回路又は能力が、遠隔ＵＥ装置に必要とならないことである。
【００１５】
考慮する必要があるサービスの１つとして、中継ＵＥ装置から遠隔ＵＥ装置への、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）又は一般にブロードキャスト／マルチキャストを、中継するためのものが挙げられる。ブロードキャスト／マルチキャストサービスは、将来成長する可能性がある分野とされている。ＳＣ−ＰＴＭは、ｅＭＢＭＳ（Ｅｖｏｌｖｅｄ  Ｍｕｌｔｉｍｅｄｉａ  Ｂｒｏａｄｃａｓｔ  Ｍｕｌｔｉｃａｓｔ  Ｓｅｒｖｉｃｅ）システムアーキテクチャを使用し、無線効率を改善し遅延を低減するためのエアインタフェースの拡張を提供する。
【００１６】
ＳＣ−ＰＴＭは、単一セル上のブロードキャスト／マルチキャストサービスをサポートする。このブロードキャスト／マルチキャストエリアは、１つ以上のセルによってカバーされてよいサービスエリア上の、ユーザの分布に応じてセルごとに動的に調節されることができる。ＳＣ−ＰＴＭは、ブロードキャスト／マルチキャストサービスが、ユーザの関心により限られた数のセルに配信されることが予想され、かつ関係するセルが、ユーザの移動により動的に変化してよい、シナリオに、特に好適である。ＳＣ−ＰＴＭは、効率的な無線利用、及び数多くのアプリケーション（例えば、重要な通信、自動車向けの交通情報、オンデマンドのテレビジョン（ＴＶ）サービスなど）の柔軟な配備ができるようにする。
【００１７】
ＳＣ−ＰＴＭは、ＬＴＥのＰＤＳＣＨ（Ｐｈｙｓｉｃａｌ  Ｄｏｗｎｌｉｎｋ  Ｓｈａｒｅｄ  Ｃｈａｎｎｅｌ）を用いてブロードキャスト／マルチキャストサービスを転送し、スケジューリングは、共通のＧｒｏｕｐ−ＲＮＴＩ（Ｇｒｏｕｐ  Ｒａｄｉｏ  Ｎｅｔｗｏｒｋ  Ｔｅｍｐｏｒａｒｙ  Ｉｄｅｎｔｉｆｉｅｒ）を用いて行われる。ＳＣ−ＰＴＭのスケジューリングは、非常に柔軟であり、無線リソースは、ＴＴＩ（Ｔｒａｎｓｍｉｓｓｉｏｎ  Ｔｉｍｅ  Ｉｎｔｅｒｖａｌ）中のリアルタイムのトラフィック負荷に基づいて、ＴＴＩ単位で、ＰＤＣＣＨ（Ｐｈｙｓｉｃａｌ  Ｄｏｗｎｌｉｎｋ  Ｃｏｎｔｒｏｌ  Ｃｈａｎｎｅｌ）を介して、時間及び周波数の領域に動的に割り当てられることができる。ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）の単一セル送信において、ＭＢＭＳサービスは、単一セルのカバレッジエリア内で送信され、１つのＳＣ−ＭＣＣＨ（Ｓｉｎｇｌｅ−Ｃｅｌｌ  Ｍｕｌｔｉｃａｓｔ  Ｃｏｎｔｒｏｌ  Ｃｈａｎｎｅｌ）、及び１つ以上のＳＣ−ＭＴＣＨ（Ｓｉｎｇｌｅ−Ｃｅｌｌ  Ｍｕｌｔｉｃａｓｔ  Ｔｒａｆｆｉｃ  Ｃｈａｎｎｅｌｓ）は、ＤＬ−ＳＣＨ（Ｄｏｗｎｌｉｎｋ  Ｓｈａｒｅｄ  Ｃｈａｎｎｅｌ）上にマッピングされる。ＭＢＭＳサービスの単一セル送信のためのスケジューリングは、ＭＢＭＳのセッション制御を担うＭＣＥ（Ｍｕｌｔｉｃａｓｔ  Ｃｏｎｔｒｏｌ  Ｅｎｔｉｔｙ）からの支援で、基地局（ｅＮＢ）によって行われる。ＳＣ−ＰＴＭを含む全ての既存のブロードキャスト機構と同様に、このブロードキャストは、特定のカバレッジエリア又はセル内のＵＥ装置であって、そのＵＥ装置にこのブロードキャストが送信されるもの全てに、到達することが保証されているものではない。
【００１８】
遠隔ＵＥ装置がＳＣ−ＰＴＭ配信を取得することに伴う課題は、非常に多い。あらかじめ、ＳＣ−ＰＴＭトラフィックを受信することに関心があるＵＥ装置は、そのＵＥ装置の関心について、ＭＢＭＳ関心インディケーション（ＭＢＭＳ  Ｉｎｔｅｒｅｓｔ  Ｉｎｄｉｃａｔｉｏｎ）メッセージを介して、そのＵＥ装置のサービングセルに通知するということが想定されている。ネットワークに関して、そのＵＥ装置が、表示された関心のあるＳＣ−ＰＴＭが受信され得るセル内にあることが、確実となるようにするためである。これは、ＳＣ−ＰＴＭトラフィックを受信するために要求される、必要なシステム情報ブロック（例えば、ＳＩＢ  ３、ＳＩＢ  １５、ＳＩＢ  ２０）を、ＵＥ装置が、直接に取得することができるということも想定していた。ＵＥ装置は、関心のあるブロードキャストサービスが利用可能であるかどうかを調べるために、ＤＬ−ＳＣＨのトラフィックチャネル上のＳＣ−ＭＣＣＨを監視するとも予想されるであろう。もしそうであれば、そのＵＥ装置は、ＳＣ−ＭＣＣＨによって提供される構成に基づいて、ＳＣ−ＰＴＭ上でブロードキャストトラフィックを取得するであろう。
【００１９】
しかし、特に遠隔ＵＥ装置がサービングセルのカバレッジの外にある場合、その遠隔ＵＥ装置は、制御情報（例えば、ＳＩＢ及びＳＣ−ＭＣＣＨ）を、ｅＮＢから直接に取得することができることもあるし、できないこともある。この場合、遠隔ＵＥ装置がＳＣ−ＰＴＭ配信を受信することができるように、中継ＵＥ装置は、遠隔ＵＥ装置に必要な情報を提供しなければならない。ＳＣ−ＰＴＭは、３ＧＰＰ  Ｔｅｃｈｎｉｃａｌ  Ｓｐｅｃｉｆｉｃａｔｉｏｎ  ２３．４６８  ｖ１２．４．０に記載されたグループ通信に用いられる機構の１つであるから、この要件は、公共安全のために特に重要である。
【００２０】
本明細書において説明される例は、遠隔ＵＥ装置によるＳＣ−ＰＴＭの受信に必要な、適切なシグナリングプロトコルを定める。いくつかの場合において、遠隔ＵＥ装置は、基地局のカバレッジエリア（例えば、サービスエリア）内に位置し、ＳＣ−ＰＴＭ制御情報及び／又はブロードキャスト内容情報（例えば、ＳＣ−ＰＴＭトラフィック）を、基地局から直接に受信することができる。その他の場合において、遠隔ＵＥ装置は、カバレッジの外の地域に位置し、そのため、遠隔ＵＥ装置は、中継ＵＥ装置による、ＳＣ−ＰＴＭ制御情報及びブロードキャスト内容情報（例えば、ＳＣ−ＰＴＭトラフィック）の配信に頼らなければならない。
【００２１】
図１は、中継ユーザ機器（ＵＥ）装置が、ブロードキャスト／マルチキャスト情報を遠隔ＵＥ装置へ中継する、通信システムの例のブロック図である。通信システム１００は、ＵＥ装置に種々の無線サービスを提供する無線アクセスネットワーク（図示せず）の一部である。そのＵＥ装置は、その無線アクセスネットワークの一部である種々の基地局の、それぞれのサービスエリア内に位置する。基地局１０２は、基地局１０２のサービスエリア１０３内に位置する通信リンク１０４を介して、中継ＵＥ装置１０６に無線サービスを提供する。遠隔ＵＥ装置１０８は、サービスエリア１０３内に位置し、遠隔ＵＥ装置１１０は、サービスエリア１０３の外側に位置する。
【００２２】
図１に示す例において、通信リンク１０４は、中継ＵＥ装置１０６と基地局（ｅＮＢ）１０２との間のＵｕリンクである。通信リンク１０４は、基地局１０２から中継ＵＥ装置１０６への下りリンク通信を提供し、かつ、中継ＵＥ装置１０６から基地局１０２への上りリンク通信を提供するように、構成されている。図１において明示的には示していないが、遠隔ＵＥ装置１０８はまた、通信リンク１０４と同様の通信リンクを介して、基地局１０２と直接に通信してもよい。中継ＵＥ装置１０６は、それぞれ通信リンク１１２、１１４を介して、遠隔ＵＥ装置１０８、１１０と通信する。以下でより完全に説明されるように、通信リンク１１２、１１４は、３ＧＰＰ  Ｄ２Ｄリンク、非３ＧＰＰ  Ｄ２Ｄリンク、又はその両方を表してよい。
【００２３】
明瞭さと簡潔さのために、通信システム１００は、ただ１つの基地局１０２を有するものとして示されている。しかし、他の例において、通信システム１００は、任意の適切な数の基地局を有し得る。図１に示す例において、基地局１０２は、中継ＵＥ装置１０６に直接に無線サービスを提供し、中継ＵＥ装置１０６を介して、遠隔ＵＥ装置１０８、１１０に間接に無線サービスを提供する。他の例において、ＵＥ装置１０８はまた、通信リンク１０４と同様の通信リンクを介して、無線サービスを基地局１０２から直接に受信してもよい。
【００２４】
基地局１０２は、ｅＮｏｄｅＢ又はｅＮＢと呼ばれることがある。基地局１０２は、通信リンク１０４を介して下りリンク信号を送信することによって、中継ＵＥ装置１０６と通信する。基地局１０２はまた、通信リンク１０４を介して中継ＵＥ装置１０６から送信される、上りリンク信号を受信する。ＵＥ装置１０６、１０８、１１０は、例えば携帯電話、トランシーバモデム、携帯情報端末（ｐｅｒｓｏｎａｌ  ｄｉｇｉｔａｌ  ａｓｓｉｓｔａｎｔｓ、ＰＤＡｓ）、タブレット、マシン型通信（ＭＴＣ）装置、ウェアラブル装置などの、任意の無線通信装置である。
【００２５】
基地局１０２は、既知の技術に従って、バックホール（図示せず）を通じてネットワークに接続されている。図２Ａに示すように、基地局１０２は、制御部２０４、送信部２０６、及び受信部２０８、並びにその他の電子回路、ハードウェア、及びコードを含む。
基地局１０２は、本明細書において説明される機能を実行する、任意の固定式、移動式、又は携帯用の機器である。基地局１０２を参照して説明されるブロックの種々の機能及び動作は、任意の数の装置、回路、又は要素で実装されてよい。２つ又はそれ以上の機能ブロックは、単一の装置に統合されてよく、いかなる単一の装置で実行されるものとして説明される機能も、いくつかの装置上で実装されてよい。
【００２６】
図２Ａに示す例については、基地局１０２は、システム配備時に特定の場所に設置された、固定式の装置又は装置であってよい。そのような機器の例として、固定式の基地局又は固定式の送受信局が挙げられる。いくつかの状況において、基地局１０２は、特定の場所に一時的に設置されている、移動式の機器であってよい。そのような機器のいくつかの例として、発電機、ソーラーパネル、及び／又はバッテリーなどの発電機器を含んでよい、移動式の送受信局が挙げられる。このような機器のより大きく、より重い型は、トレーラーによって輸送されてよい。更にその他の状況において、基地局１０２は、いかなる特定の場所にも固定されていない、携帯用の装置であってよい。従って、いくつかの状況において、基地局１０２は、ＵＥ装置などの、携帯用のユーザの装置であってよい。
【００２７】
制御部２０４は、本明細書において説明される機能を実行するとともに、基地局１０２の全体的な機能性を助けるための、ハードウェア、ソフトウェア、及び／又はファームウェアの任意の組み合わせを含む。適切な制御部２０４の例として、メモリに接続された、マイクロプロセッサ装置又はプロセッサ装置上で実行されているコードが挙げられる。送信部２０６は、無線信号を送信するように構成されている電子回路を含む。いくつかの状況において、送信部２０６は、複数の送信部を含んでよい。受信部２０８は、無線信号を受信するように構成されている電子回路を含む。いくつかの状況において、受信部２０８は、複数の受信部を含んでよい。受信部２０８及び送信部２０６は、それぞれアンテナ２１０を通じて信号を受信及び送信する。アンテナ２１０は、別個の送信アンテナ及び受信アンテナを含んでよい。いくつかの状況において、アンテナ２１０は、複数の送信アンテナ及び受信アンテナを含んでよい。
【００２８】
図２Ａの例における送信部２０６及び受信部２０８は、変調及び復調を含む、無線周波（ＲＦ）処理を行う。そのため、受信部２０８は、低雑音増幅器（ＬＮＡ）及びフィルタなどの構成要素を含んでよい。送信部２０６は、フィルタ及び増幅器を含んでよい。その他の構成要素として、アイソレータ、整合回路、及び他のＲＦ構成要素が含まれてよい。これらの構成要素は、他の構成要素との組み合わせで、又は他の構成要素と連携して、基地局機能を実行する。必要な構成要素は、基地局に必要な特定の機能性によって決まってよい。
【００２９】
送信部２０６は、変調器（図示せず）を含み、受信部２０８は、復調器（図示せず）を含む。変調器は、通信リンク１０４を介して送信される下りリンク信号を変調し、その際、複数種類の変調次数のうち任意の１つを適用することができる。復調器は、基地局１０２で受信されるいずれの上りリンク信号も、複数種類の変調次数のうち１つに従って、復調する。
【００３０】
図１に戻ると、通信システム１００は、直接又は間接に、基地局１０２を介してＵＥ装置１０６、１０８、１１０に種々の無線サービスを提供する。本明細書における例については、通信システム１００は、３ＧＰＰ  ＬＴＥ(３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）通信仕様の、少なくとも１つの改訂に従って動作する。図２Ｂに示す例において、中継ＵＥ装置１０６の回路は、基地局１０２と直接通信するように構成され、かつ遠隔ＵＥ装置１０８、１１０との３ＧＰＰ  Ｄ２Ｄ通信のために構成されている。例えば、中継ＵＥ装置１０６は、アンテナ２１２及び受信部２１４を用いて、通信リンク１０４を介して下りリンク信号を受信する。中継ＵＥ装置１０６は、送信部２１８及びアンテナ２１２を用いて、基地局１０２から受信した情報を、遠隔ＵＥ装置１０８及び／又は遠隔ＵＥ装置１１０に送信（例えば、中継）する。中継ＵＥ装置１０６は、アンテナ２１２及び受信部２１４を使用して、遠隔ＵＥ装置１０８及び／又は遠隔ＵＥ装置１１０から、上りリンク信号を受信する。中継ＵＥ装置１０６は、送信部２１８及びアンテナ２１２を用いて、遠隔ＵＥ装置１０８及び／又は遠隔ＵＥ装置１１０から受信した情報を、基地局１０２に送信（例えば、中継）する。
【００３１】
上記の例において、中継ＵＥ装置１０６について示されているのと同一のＵＥ装置の回路及び構成は、遠隔ＵＥ装置１０８及び／又は遠隔ＵＥ装置１１０にも利用される（例えば、中継ＵＥ装置１０６と３ＧＰＰ  Ｄ２Ｄ通信ができ、基地局１０２と直接の通信ができる）。しかし、他の例において、遠隔ＵＥ装置１０８及び／又は遠隔ＵＥ装置１１０は、中継ＵＥ装置１０６との３ＧＰＰ  Ｄ２Ｄ通信のために構成されているが、基地局１０２と直接通信するように構成されていない、回路を有する。更に他の例において、遠隔ＵＥ装置１０８及び／又は遠隔ＵＥ装置１１０は、中継ＵＥ装置１０６との非３ＧＰＰ  Ｄ２Ｄ通信（例えば、Ｂｌｕｅｔｏｏｔｈ又はＷｉ−Ｆｉ）のために構成されているが、基地局１０２と直接通信するように構成されていない、回路を有する。更に別の例において、遠隔ＵＥ装置１０８及び／又は遠隔ＵＥ装置１１０は、中継ＵＥ装置１０６との３ＧＰＰ  Ｄ２Ｄ通信と非３ＧＰＰ  Ｄ２Ｄ通信（例えば、Ｂｌｕｅｔｏｏｔｈ又はＷｉ−Ｆｉ）の両方のために構成されている、回路を有する。明らかに、遠隔ＵＥ装置１０８及び／又は遠隔ＵＥ装置１１０が非３ＧＰＰ  Ｄ２Ｄ通信のために構成されている回路を有する例については、中継ＵＥ装置１０６も、非３ＧＰＰ  Ｄ２Ｄ通信のために構成されている回路を有していなければならない。
【００３２】
アンテナ２１２及び受信部２１４の他に、中継ＵＥ装置１０６は、制御部２１６及び送信部２１８、並びにその他の電子回路、ハードウェア、及びコードを更に含む。中継ＵＥ装置１０６は、本明細書において説明される機能を実行する、任意の固定式、移動式、又は携帯用の機器である。中継ＵＥ装置１０６を参照して説明されるブロックの種々の機能及び動作は、任意の数の装置、回路、又は要素で実装されてよい。２つ又はそれ以上の機能ブロックは、単一の装置に統合されてよく、いかなる単一の装置で実行されるものとして説明される機能も、いくつかの装置上で実装されてよい。
【００３３】
制御部２１６は、本明細書において説明される機能を実行するとともに、ＵＥ装置の全体的な機能性を助けるための、ハードウェア、ソフトウェア、及び／又はファームウェアの任意の組み合わせを含む。適切な制御部２１６の例として、メモリに接続された、マイクロプロセッサ装置又はプロセッサ装置上で実行されているコードが挙げられる。送信部２１８は、無線信号を送信するように構成されている電子回路を含む。いくつかの状況において、送信部２１８は、複数の送信部（例えば、３ＧＰＰ送信部及び非３ＧＰＰ送信部）を含んでよい。受信部２１４は、無線信号を受信するように構成されている電子回路を含む。いくつかの状況において、受信部２１４は、複数の受信部（例えば、３ＧＰＰ受信部及び非３ＧＰＰ受信部）を含んでよい。受信部２１４及び送信部２１８は、それぞれアンテナ２１２を通じて信号を受信及び送信する。アンテナ２１２は、別個の送信アンテナ及び受信アンテナを含んでよい。いくつかの状況において、アンテナ２１２は、複数の送信アンテナ及び受信アンテナを含んでよい。
【００３４】
図２Ｂの例における送信部２１８及び受信部２１４は、変調及び復調を含む、無線周波（ＲＦ）処理を行う。そのため、受信部２１４は、低雑音増幅器（ｌｏｗ  ｎｏｉｓｅ  ａｍｐｌｉｆｉｅｒｓ、ＬＮＡｓ）及びフィルタなどの構成要素を含んでよい。送信部２１８は、フィルタ及び増幅器を含んでよい。その他の構成要素として、アイソレータ、整合回路、及び他のＲＦ構成要素が含まれてよい。これらの構成要素は、他の構成要素との組み合わせで、又は他の構成要素と連携して、ＵＥ装置機能を実行する。必要な構成要素は、ＵＥ装置に必要な特定の機能性によって決まってよい。
【００３５】
送信部２１８は、変調器（図示せず）を含み、受信部２１４は、復調器（図示せず）を含む。変調器は、複数種類の変調次数のうち任意の１つを適用して、送信前に信号を変調することができる。復調器は、複数種類の変調次数のうち１つに従って、受信された信号を復調する。
【００３６】
動作中、遠隔ＵＥ装置への情報の中継の必要／希望は、遠隔ＵＥ装置が、ＳＣ−ＰＴＭ制御情報及び／又は希望するブロードキャスト内容を、基地局から直接に受信できないときに生じ得る。遠隔ＵＥ装置が、情報／内容を直接受信できないのは、遠隔ＵＥ装置が、基地局のカバレッジエリアの外にあるか、遠隔ＵＥ装置が、特定の関心のあるＭＢＭＳサービス（ＭＢＭＳ  ｓｅｒｖｉｃｅ  ｏｆ  ｉｎｔｅｒｅｓｔ）がブロードキャストされていないセル内に位置するか、遠隔ＵＥ装置が、電力を節約する必要があり、関心のあるサービスが利用可能になるまで、ＳＣ−ＰＴＭ制御情報を監視し続けることができないか、又は、遠隔ＵＥ装置が、情報／内容を基地局から直接受信するために必要な回路を有しないから、であり得る。遠隔ＵＥ装置に情報を中継する理由とは関係なく、本明細書において説明される例に含まれる、２つの一般的な中継のシナリオがある。第１のシナリオにおいては、遠隔ＵＥ装置は、ブロードキャストされる内容情報を、その遠隔ＵＥ装置がどのように受信したいかということについての意思決定者であると想定される。第２のシナリオにおいては、中継ＵＥ装置は、ブロードキャストされる内容情報が、遠隔ＵＥ装置にどのように配信されるかを決定する。このように、第２のシナリオについては、中継ＵＥ装置は、遠隔ＵＥ装置にＳＣ−ＰＴＭ制御情報を提供する必要はない。これら２つのシナリオは、それぞれ以下でより完全に説明される。
【００３７】
ところで第１のシナリオについて、図３は、ブロードキャスト／マルチキャスト情報が、遠隔ＵＥ装置にどのように配信されるべきかを、遠隔ＵＥ装置が決定する、例示的なメッセージ図である。図３は、遠隔ＵＥ装置、中継ＵＥ装置、及び基地局との間で送信される、第１のシナリオのための制御メッセージを示している。明瞭さと簡潔さのため、ＵＥ装置と基地局との間で送信される、全てのメッセージが図３に含まれているわけではない。また、図３に示されているメッセージのうち１つ以上を省略してよい。同様に、遠隔ＵＥ装置及び／又は基地局への情報の中継を助ける追加のメッセージが、図３に示されているもの以外に含まれてよい。
【００３８】
最初に、遠隔ＵＥ装置１１０は、ＳＣ−ＰＴＭを介してブロードキャスト／マルチキャスト配信を受信したいか否かを決定する。いくつかの場合において、遠隔ＵＥ装置１１０は、現在何が基地局１０２によってブロードキャストされているかを確認したい場合がある。その他の場合において、遠隔ＵＥ装置１１０は、何が基地局１０２によってブロードキャストされているかについての、アプリケーション層のプログラムガイドにすでにアクセスできる場合がある。しかし、プログラムガイドが、最新でない場合もあるし、ｅＮＢにおける輻輳状態が、スケジューリングされたＭＢＭＳサービスがブロードキャストされることができないようなものである場合もある。
【００３９】
一旦、遠隔ＵＥ装置１１０が、ＳＣ−ＰＴＭを介してブロードキャスト／マルチキャスト配信を受信したいと決定すると、遠隔ＵＥ装置１１０は、中継ＵＥ装置１０６に、基地局１０２によって提供されるＳＣ−ＰＴＭ制御情報の要求を送信する。遠隔ＵＥ装置１１０は、その送信部２１８及びアンテナ２１２を用いて、この要求を送信し、中継ＵＥ装置１０６は、そのアンテナ２１２及び受信部２１４を介して、この要求を受信する。図３の例については、遠隔ＵＥ装置１１０が、基地局１０２のサービスエリア１０３の外側にあり、かつ／又は、ＳＣ−ＰＴＭ制御情報を基地局１０２から直接に受信するために必要な回路／構成を有しないことが、想定されている。ＳＣ−ＰＴＭ制御情報の要求を含む信号は、図３において信号３０２で表されている。
【００４０】
中継ＵＥ装置１０６は、遠隔ＵＥ装置１１０からのＳＣ−ＰＴＭ制御情報の要求を受信すると、中継ＵＥ装置１０６がその要求をサポートできるか否かを決定する。中継ＵＥ装置１０６が、その要求をサポートすることができない場合がある理由の１つは、ＳＣ−ＰＴＭ制御情報が、（例えば、中継ＵＥ装置１０６の場所及び／又はその動作周波数により）中継ＵＥ装置１０６にとって利用可能ではない場合があるからである。例えば、ＳＣ−ＰＴＭ制御情報は、ＳＣ−ＰＴＭトラフィックが送信されるセル内でのみブロードキャストされる場合があり、中継ＵＥ装置１０６は、ＳＣ−ＰＴＭ制御情報が送信されるセル内に位置していない場合がある。あるいは、中継ＵＥ装置１０６は、ＳＣ−ＰＴＭ制御情報が送信されている周波数の信号を、受信するように構成されていない場合がある。中継ＵＥ装置１０６が、その要求をサポートできない場合がある別の理由は、中継ＵＥ装置１０６が、すでにそれ自体のユニキャスト機能を実行している場合があるからである。この場合、中継ＵＥ装置１０６が、遠隔ＵＥ装置１１０のためにＳＣ−ＰＴＭトラフィックの中継を開始することになっていたならば、その中継ＵＥ装置１０６にサービスを提供する基地局１０２は、その中継ＵＥ装置１０６を、ネットワークの輻輳がより強いものであり得るか、又は信号強度が現在のセルよりも低いものであり得る、別のセルにハンドオーバーしてよい。
【００４１】
中継ＵＥ装置１０６が、遠隔ＵＥ装置１１０をサポートすることを決定する場合、中継ＵＥ装置１０６は、中継ＵＥ装置１０６が中継モードで動作していることを表示する情報を含む、ＭＢＭＳ関心インディケーションメッセージを、基地局１０２に送信する。以下でより完全に説明されるように、いくつかの例において、ＭＢＭＳ関心インディケーションメッセージは、中継ＵＥ装置１０６のＲＲＣ（Ｒａｄｉｏ  Ｒｅｓｏｕｒｃｅ  Ｃｏｎｔｒｏｌ）状態（例えば、モード）に基づく。中継ＵＥ装置１０６は、送信部２１８及びアンテナ２１２でＭＢＭＳ関心インディケーションメッセージを送信し、基地局１０２は、アンテナ２１０及び受信部２０８でそのメッセージを受信する。このＭＢＭＳ関心インディケーションメッセージを含む信号は、図３において信号３０４で表されている。
【００４２】
中継ＵＥ装置１０６が中継モードで動作していることを表示する情報（例えば、「中継情報」）が、必要とされる。ＦｅＭＴＣ（Ｆｕｒｔｈｅｒ  Ｅｎｈａｎｃｅｄ  Ｍａｃｈｉｎｅ  Ｔｙｐｅ  Ｃｏｍｍｕｎｉｃａｔｉｏｎ）  ＵＥ装置は、ＲＲＣ（Ｒａｄｉｏ  Ｒｅｓｏｕｒｃｅ  Ｃｏｎｔｒｏｌ）アイドルモード（例えば、状態）である間のみ、ＳＣ−ＰＴＭ配信を受信することができるからである。ＦｅＭＴＣ  ＵＥ装置が、遠隔ＵＥ装置１１０のためにＳＣ−ＰＴＭ情報の取得を試み、中継ＵＥ装置１０６としての役割を果たしていることを、基地局１０２に通知することによって、基地局１０２は、中継ＵＥ装置１０６をアイドルモードへと解放するか否かを決定することができる。いくつかの場合において、中継ＵＥ装置１０６がアクティブなトラフィックを有しない場合、基地局１０２は、無活動タイマーが満了する前であっても、中継ＵＥ装置１０６をアイドルモードへと解放することを決定してよい。その他の場合において、中継ＵＥ装置１０６が、アクティブな継続中のトラフィックを有する場合、基地局１０２は、ユニキャスト配信を介して中継ＵＥ装置１０６へ、そして今度は、これもまたユニキャスト配信で遠隔ＵＥ装置１１０へと、ＳＣ−ＰＴＭ制御情報を提供するという選択肢を有する。非ＦｅＭＴＣ  ＵＥ装置については、中継ＵＥ装置１０６が、アイドルモードであるか、ＲＲＣ接続（ＲＲＣ  ＣＯＮＮＥＣＴＥＤ）モード（例えば、状態）であるかに関係なく、中継ＵＥ装置１０６がＳＣ−ＰＴＭ制御情報を取得することは、依然として可能であろう。上記のどの選択肢も中継ＵＥ装置１０６にとって利用可能でない場合には、中継ＵＥ装置１０６は、中継ＵＥ装置１０６が、この時ＳＣ−ＰＴＭ情報の中継をサポートできないことを、遠隔ＵＥ装置１１０に通知することができる。利用可能な場合には、遠隔ＵＥ装置１１０は、代替の中継ＵＥ装置を検索するという選択肢を有する。
【００４３】
ＭＢＭＳ関心インディケーションメッセージを受信すると、基地局１０２は、通常、（１）中継ＵＥ装置１０６にＳＣ−ＰＴＭ制御情報を提供するか、（２）その中継ＵＥ装置１０６にサービスを提供するセルがＳＣ−ＰＴＭ制御情報を提供できない場合は、中継ＵＥ装置１０６を、ＳＣ−ＰＴＭ制御情報が提供される、（例えば、おそらく異なる周波数層上の）セルにハンドオーバーする。いくつかの例において、ＳＣ−ＰＴＭ制御情報は、システム情報ブロック（例えば、ＳＩＢ  ３、ＳＩＢ  １５、ＳＩＢ  ２０）及び／又はＳＣ−ＭＣＣＨ（Ｓｉｎｇｌｅ−Ｃｅｌｌ  Ｍｕｌｔｉｃａｓｔ  Ｃｏｎｔｒｏｌ  Ｃｈａｎｎｅｌ）のうち、１つ以上から取得されてよい。どのセルがＳＣ−ＰＴＭ制御情報を送信するかに関係なく、中継ＵＥ装置１０６は、アンテナ２１２及び受信部２１４を用いて、ＳＣ−ＰＴＭ制御情報を受信する。基地局１０２から中継ＵＥ装置１０６に送信されている、ＳＣ−ＰＴＭ制御情報を含む信号は、図３において信号３０６で表されている。
【００４４】
中継ＵＥ装置１０６は、その送信部２１８及びアンテナ２１２を用いて、遠隔ＵＥ装置１１０にＳＣ−ＰＴＭ制御情報を送信する。遠隔ＵＥ装置１１０は、そのアンテナ２１２及び受信部２１４を用いて、ＳＣ−ＰＴＭ制御情報を受信する。ＳＣ−ＰＴＭ制御情報は、ＰＣ５リンク上のブロードキャスト又はユニキャストを用いて配信されてよい。ＰＣ５リンクは、中継ＵＥ装置１０６と遠隔ＵＥ装置１１０との間の通信リンク１１４である。先に述べたように、中継ＵＥ装置１０６と遠隔ＵＥ装置１１０との間のリンクは、３ＧＰＰ  Ｄ２Ｄ通信リンクである。その他の場合において、中継ＵＥ装置１０６と遠隔ＵＥ装置１１０との間のリンクは、非３ＧＰＰ  Ｄ２Ｄ通信リンク（例えば、Ｂｌｕｅｔｏｏｔｈ又はＷｉ−Ｆｉ）とすることができる。同一のＳＣ−ＰＴＭ制御情報を要求している複数の遠隔ＵＥ装置１０８、１１０がある場合には、中継ＵＥ装置１０６がＳＣ−ＰＴＭ制御情報をブロードキャストすることが、より効率的であり得る。中継ＵＥ装置１０６から遠隔ＵＥ装置１１０に送信されている、ＳＣ−ＰＴＭ制御情報を含む信号は、図３において信号３０８で表されている。
【００４５】
遠隔ＵＥ装置１１０は、ＳＣ−ＰＴＭ制御情報を受信すると、１つ以上の関心のあるＭＢＭＳサービスが、サービングセルからのＳＣ−ＰＴＭを介して利用可能か否かを決定する。一旦、遠隔ＵＥ装置１１０によってこの決定がされると、遠隔ＵＥ装置１１０は、少なくとも１つの関心のあるＭＢＭＳサービスを特定し、かつ配信プリファレンスを含む、ＭＢＭＳ関心インディケーションメッセージを、中継ＵＥ装置１０６に送信する。「配信プリファレンス」は、遠隔ＵＥ装置１１０が、関心のあるＭＢＭＳサービスがブロードキャスト（例えば、ＳＣ−ＰＴＭ）配信を介して提供されることを好むか、ユニキャスト配信を介して提供されることを好むかを、表示する。関心のあるＭＢＭＳサービスが重要でない場合、遠隔ＵＥ装置１１０は、ユニキャストを介して関心のあるＭＢＭＳサービスを取得することを、中継ＵＥ装置１０６に依頼しないことを決定してよい。ユニキャスト配信は、ネットワーク負荷を増大させるからである。関心のあるＭＢＭＳサービスが重要である場合、遠隔ＵＥ装置１１０は、ユニキャストを介して関心のあるＭＢＭＳサービスを取得することを、中継ＵＥ装置１０６に要求するであろう。遠隔ＵＥ装置１１０は、その送信部２１８及びアンテナ２１２を介して、このＭＢＭＳ関心インディケーションメッセージを送信し、中継ＵＥ装置１０６は、そのアンテナ２１２及び受信部２１４を介して、このメッセージを受信する。このＭＢＭＳ関心インディケーションメッセージを含む信号は、図３において信号３１０で表されている。
【００４６】
遠隔ＵＥ装置１１０からのＭＢＭＳ関心インディケーションメッセージ３１０の受信に応答して、中継ＵＥ装置１０６は、可能な場合、ＭＢＭＳ関心インディケーションメッセージ３１０内に表示された配信プリファレンスを介して、関心のあるサービスを基地局１０２に要求する。この要求を含む信号は、図３において明示的には示されていない。ＳＣ−ＰＴＭ配信が、遠隔ＵＥ装置１１０によって要求された場合、中継ＵＥ装置１０６からの要求に応答して、基地局１０２は、ＳＣ−ＰＴＭトラフィック配信を介して、関心のあるＭＢＭＳサービスを提供する。基地局１０２は、送信部２０６及びアンテナ２１０を介して、ＳＣ−ＰＴＭトラフィックをブロードキャストする。いくつかの場合において、関心のあるＭＢＭＳサービスは、すでにＳＣ−ＰＴＭで進行中であり、このような場合において、中継ＵＥ装置１０６は、基地局１０２に明示的に要求を送ることなく、ＳＣ−ＰＴＭでブロードキャストされて送信されるものを取得してよい。関心のあるＭＢＭＳサービスを含むブロードキャスト信号は、図３において破線の信号線３１２で表されている。破線の信号線は、これが、要求された関心のあるサービスを配信するために用いられ得る、一種の配信であることの表示を意図している。
【００４７】
ＳＣ−ＰＴＭで送信されるものが現在利用できないときに、遠隔ＵＥ装置１１０のために中継ＵＥ装置１０６がユニキャスト配信を要求した場合、基地局１０２は、ユニキャストトラフィック配信を介して、関心のあるサービスを提供してよい。基地局１０２は、送信部２０６及びアンテナ２１０を介して、ユニキャストトラフィックを送信する。関心のあるＭＢＭＳサービスを含むユニキャスト信号は、図３において破線の信号線３１４で表されている。先に述べたように、破線の信号線は、これが、要求された関心のあるサービスを配信するために用いられ得る、一種の配信であることの表示を意図している。
【００４８】
配信方法に関係なく、基地局１０２は、送信部２０６及びアンテナ２１０を介して、関心のあるサービスを送信し、中継ＵＥ装置１０６は、アンテナ２１２及び受信部２１４を介して、関心のあるサービスを含む信号を受信する。関心のあるサービスを含む信号を受信すると、中継ＵＥ装置１０６は、ブロードキャスト配信又はユニキャスト配信のいずれかで、遠隔ＵＥ装置１１０にＭＢＭＳトラフィックを送信する。中継ＵＥ装置１０６は、遠隔ＵＥ装置１１０によって要求された配信プリファレンスに基づいて、どの配信方法を用いるかを決定する。中継ＵＥ装置１０６は、その送信部２１８及びアンテナ２１２を介して、この関心のあるＭＢＭＳサービスを送信し、遠隔ＵＥ装置１１０は、そのアンテナ２１２及び受信部２１４を介して、この関心のあるサービスを受信する。この関心のあるＭＢＭＳサービスを含む信号は、図３において信号３１６で表されている。
【００４９】
ところで第２のシナリオについて、図４は、ブロードキャスト／マルチキャスト情報が、遠隔ＵＥ装置にどのように配信されるべきかを、中継ＵＥ装置が決定する、例示的なメッセージ図を示している。第２のシナリオ（図４）と第１のシナリオ（図３）との間の主な相違は、中継ＵＥ装置１０６が遠隔ＵＥ装置１１０にＳＣ−ＰＴＭ制御情報を提供する必要がないということである。これは、どの関心のあるＭＢＭＳサービスがサービングセルによって提供され得るかを、アプリケーション層を通じて、遠隔ＵＥ装置１１０がすでに知っているということを、想定している。
【００５０】
第１のシナリオと同様に、遠隔ＵＥ装置１１０は、最初に、ＳＣ−ＰＴＭを介してブロードキャスト／マルチキャスト配信を受信したいか否かを決定する。上記で述べたように、遠隔ＵＥ装置１１０は、何が基地局１０２によってブロードキャストされているかについて、アプリケーション層を介してすでに知っている。一旦、遠隔ＵＥ装置１１０が、ＳＣ−ＰＴＭを介してブロードキャスト／マルチキャスト配信を受信したいと決定すると、遠隔ＵＥ装置１１０は、遠隔ＵＥ装置１１０にとって関心のある１つ以上のＭＢＭＳサービスを表示する、ＭＢＭＳ関心インディケーションメッセージを、中継ＵＥ装置１０６に送信する。遠隔ＵＥ装置１１０は、その送信部２１８及びアンテナ２１２を用いて、このＭＢＭＳ関心インディケーションメッセージを送信し、中継ＵＥ装置１０６は、そのアンテナ２１２及び受信部２１４を介して、この要求を受信する。図４の例については、遠隔ＵＥ装置１１０が、基地局１０２のサービスエリア１０３の外側にあり、かつ／又は、関心のあるＭＢＭＳサービスを基地局１０２から直接に受信するために必要な回路／構成を有しないことが、想定されている。このＭＢＭＳ関心インディケーションメッセージを含む信号は、図４において信号４０２で表されている。
【００５１】
他の例において、遠隔ＵＥ装置１１０は、ＭＢＭＳ関心インディケーションメッセージ４０２を送信する必要がない場合がある。どのサービスが、遠隔ＵＥ装置１１０にとって関心があるのかを、中継ＵＥ装置１０６が、アプリケーション層を介して、すでに知っている場合があるからである。そのため、これらの場合において、中継ＵＥ装置１０６は、遠隔ＵＥ装置１１０にとって関心のあるサービスのためのＳＣ−ＰＴＭトラフィックを、それらが利用可能になるときにはいつでも、単に提供することができる。もちろん、これは、遠隔ＵＥ装置１１０にとって関心のある特定のＭＢＭＳサービスが、いつ、ＳＣ−ＰＴＭを介してブロードキャストされるのかを見極めるために、中継ＵＥ装置１０６が、システム情報ブロック（例えば、ＳＩＢ  ３、ＳＩＢ  １５、ＳＩＢ  ２０）及び／又はＳＣ−ＭＣＣＨ（Ｓｉｎｇｌｅ−Ｃｅｌｌ  Ｍｕｌｔｉｃａｓｔ  Ｃｏｎｔｒｏｌ  Ｃｈａｎｎｅｌ）を監視することを、必要とするであろう。
【００５２】
中継ＵＥ装置１０６は、遠隔ＵＥ装置１１０からのＭＢＭＳ関心インディケーションメッセージを受信すると、中継ＵＥ装置１０６がその要求をサポートできるか否かを決定する。中継ＵＥ装置１０６が、その要求をサポートすることができない場合がある理由の１つは、ＳＣ−ＰＴＭトラフィックが、中継ＵＥ装置１０６にとって利用可能ではない場合があるからである。例えば、中継ＵＥ装置１０６は、ＳＣ−ＰＴＭトラフィックが送信されるセル内に位置していない場合がある。あるいは、中継ＵＥ装置１０６は、ＳＣ−ＰＴＭトラフィックが送信されている周波数の信号を、受信するように構成されていない場合がある。中継ＵＥ装置１０６が、その要求をサポートできない場合がある別の理由は、中継ＵＥ装置１０６が、すでにそれ自体のユニキャスト機能を実行している場合があるからである。この場合、中継ＵＥ装置１０６が、遠隔ＵＥ装置１１０のためにＳＣ−ＰＴＭトラフィックの中継を開始することになっていたならば、その中継ＵＥ装置１０６にサービスを提供する基地局１０２は、その中継ＵＥ装置１０６を、ネットワークの輻輳がより強いものであり得るか、又は信号強度が現在のセルよりも低いものであり得る、別のセルにハンドオーバーしてよい。
【００５３】
中継ＵＥ装置１０６が、遠隔ＵＥ装置１１０をサポートすることを決定する場合、中継ＵＥ装置１０６は、中継ＵＥ装置１０６が中継モードで動作していることを表示する情報を含む、ＭＢＭＳ関心インディケーションメッセージを、基地局１０２に送信する。中継ＵＥ装置１０６は、送信部２１８及びアンテナ２１２でＭＢＭＳ関心インディケーションメッセージを送信し、基地局１０２は、アンテナ２１０及び受信部２０８でそのメッセージを受信する。このＭＢＭＳ関心インディケーションメッセージを含む信号は、図４において信号４０４で表されている。
【００５４】
中継ＵＥ装置１０６が中継モードで動作していることを表示する情報（例えば、「中継情報」）が、必要とされる。ＦｅＭＴＣ（Ｆｕｒｔｈｅｒ  Ｅｎｈａｎｃｅｄ  Ｍａｃｈｉｎｅ  Ｔｙｐｅ  Ｃｏｍｍｕｎｉｃａｔｉｏｎ）  ＵＥ装置は、ＲＲＣ（Ｒａｄｉｏ  Ｒｅｓｏｕｒｃｅ  Ｃｏｎｔｒｏｌ）アイドル（ＩＤＬＥ）モード（例えば、状態）である間のみ、ＳＣ−ＰＴＭ配信を受信することができるからである。ＦｅＭＴＣ  ＵＥ装置が、遠隔ＵＥ装置１１０のためにＳＣ−ＰＴＭ情報の取得を試み、中継ＵＥ装置１０６としての役割を果たしていることを、基地局１０２に通知することによって、基地局１０２は、中継ＵＥ装置１０６をアイドルモードへと解放するか否かを決定することができる。いくつかの場合において、中継ＵＥ装置１０６がアクティブなトラフィックを有しない場合、基地局１０２は、無活動タイマーが満了する前であっても、中継ＵＥ装置１０６をアイドルモードへと解放することを決定してよい。その他の場合において、中継ＵＥ装置１０６が、アクティブな継続中のトラフィックを有する場合、基地局１０２は、ユニキャスト配信を介して中継ＵＥ装置１０６へ、そして今度は、これもまたユニキャスト配信で遠隔ＵＥ装置１１０へと、ＳＣ−ＰＴＭ制御情報を提供するという選択肢を有する。非ＦｅＭＴＣ  ＵＥ装置については、中継ＵＥ装置１０６が、アイドルモードであるか、ＲＲＣ接続モード（例えば、状態）であるかに関係なく、中継ＵＥ装置１０６がＳＣ−ＰＴＭ制御情報を取得することは、依然として可能であろう。上記のどの選択肢も中継ＵＥ装置１０６にとって利用可能でない場合には、中継ＵＥ装置１０６は、中継ＵＥ装置１０６が、この時ＳＣ−ＰＴＭ情報の中継をサポートできないことを、遠隔ＵＥ装置１１０に通知することができる。利用可能な場合には、遠隔ＵＥ装置１１０は、代替の中継ＵＥ装置を検索するという選択肢を有する。
【００５５】
ＭＢＭＳ関心インディケーションメッセージを受信すると、基地局１０２は、（１）中継ＵＥ装置１０６にＳＣ−ＰＴＭ制御情報を提供するか、（２）その中継ＵＥ装置１０６にサービスを提供するセルがＳＣ−ＰＴＭ制御情報を提供できない場合は、中継ＵＥ装置１０６を、ＳＣ−ＰＴＭ制御情報が提供される、（例えば、おそらく異なる周波数層上の）セルにハンドオーバーする。いくつかの例において、ＳＣ−ＰＴＭ制御情報は、システム情報ブロック（例えば、ＳＩＢ  ３、ＳＩＢ  １５、ＳＩＢ  ２０）及び／又はＳＣ−ＭＣＣＨ（Ｓｉｎｇｌｅ−Ｃｅｌｌ  Ｍｕｌｔｉｃａｓｔ  Ｃｏｎｔｒｏｌ  Ｃｈａｎｎｅｌ）のうち、１つ以上から取得されてよい。どのセルがＳＣ−ＰＴＭ制御情報を送信するかに関係なく、中継ＵＥ装置１０６は、アンテナ２１２及び受信部２１４を用いて、ＳＣ−ＰＴＭ制御情報を受信する。基地局１０２から中継ＵＥ装置１０６に送信されている、ＳＣ−ＰＴＭ制御情報を含む信号は、図４において信号４０６で表されている。
【００５６】
中継ＵＥ装置１０６は、ＳＣ−ＰＴＭ制御情報を受信すると、遠隔ＵＥ装置１１０にとって関心のある１つ以上のＭＢＭＳサービスが、ＳＣ−ＰＴＭ配信又はユニキャスト配信を介して、遠隔ＵＥ装置１１０に提供されるべきか否かを決定する。一旦、中継ＵＥ装置１０６によってこの決定がされると、中継ＵＥ装置１０６は、基地局１０２からＳＣ−ＰＴＭで送信されるものを、そのＳＣ−ＰＴＭで送信されるものがすでに進行中である場合に、取得することができる。そうでない場合、中継ＵＥ装置１０６は、中継ＵＥ装置１０６によって選択された配信プリファレンスを含む、関心のあるＭＢＭＳサービスの要求を基地局１０２に送信する。「配信プリファレンス」は、関心のあるＭＢＭＳサービスが、ブロードキャスト（例えば、ＳＣ−ＰＴＭ）配信を介して提供されるべきか、ユニキャスト配信を介して提供されるべきかを、表示する。関心のあるＭＢＭＳサービスが重要でない場合、中継ＵＥ装置１０６は、ユニキャストを介して関心のあるＭＢＭＳサービスを提供することを、基地局１０２に依頼しないことを決定してよい。ユニキャスト配信は、ネットワーク負荷を増大させるからである。関心のあるＭＢＭＳサービスが重要である場合、中継ＵＥ装置１０６は、ユニキャストを介して関心のあるＭＢＭＳサービスを提供することを、基地局１０２に要求するであろう。中継ＵＥ装置１０６は、その送信部２１８及びアンテナ２１２を介して、この関心のあるＭＢＭＳサービスの要求を送信し、基地局１０２は、そのアンテナ２１０及び受信部２０８を介して、この要求を受信する。この要求を含む信号は、図４において明示的には示されていない。
【００５７】
ＳＣ−ＰＴＭ配信が、中継ＵＥ装置１０６によって要求された場合、中継ＵＥ装置１０６からの要求に応答して、基地局１０２は、ＳＣ−ＰＴＭトラフィック配信を介して、関心のあるＭＢＭＳサービスを提供してよい。しかし、いくつかの場合において、基地局１０２は、ＳＣ−ＰＴＭ配信が要求されたとしても、ユニキャスト配信（例えば、図４の破線の信号線４１０）を介して、関心のあるＭＢＭＳサービスを提供してよい。これは、例えば、その関心のあるＭＢＭＳサービスに対して、関心があるＵＥ装置が、ただ１つある場合に生じ得る。基地局１０２は、送信部２０６及びアンテナ２１０を介して、ＳＣ−ＰＴＭトラフィックをブロードキャストする。関心のあるＭＢＭＳサービスを含むブロードキャスト信号は、図４において破線の信号線４０８で表されている。破線は、これが、要求された関心のあるサービスを配信するために用いられ得る、一種の配信であることの表示を意図している。
【００５８】
中継ＵＥ装置１０６がユニキャスト配信を要求した場合、基地局１０２は、ユニキャストトラフィック配信を介して、関心のあるサービスを提供する。基地局１０２は、送信部２０６及びアンテナ２１０を介して、ユニキャストトラフィックを送信する。関心のあるＭＢＭＳサービスを含むユニキャスト信号は、図４において破線の信号線４１０で表されている。先に述べたように、破線は、これが、要求された関心のあるサービスを配信するために用いられ得る、一種の配信であることの表示を意図している。
【００５９】
配信方法に関係なく、基地局１０２は、送信部２０６及びアンテナ２１０を介して、関心のあるサービスを送信し、中継ＵＥ装置１０６は、アンテナ２１２及び受信部２１４を介して、関心のあるサービスを含む信号を受信する。関心のあるサービスを含む信号を受信すると、中継ＵＥ装置１０６は、ブロードキャスト配信又はユニキャスト配信のいずれかで、遠隔ＵＥ装置１１０にＭＢＭＳトラフィックを送信する。中継ＵＥ装置１０６は、中継ＵＥ装置１０６によってあらかじめ選択された配信プリファレンスに基づいて、どの配信方法を用いるかを決定する。中継ＵＥ装置１０６は、その送信部２１８及びアンテナ２１２を介して、この関心のあるＭＢＭＳサービスを送信し、遠隔ＵＥ装置１１０は、そのアンテナ２１２及び受信部２１４を介して、この関心のあるサービスを受信する。この関心のあるＭＢＭＳサービスを含む信号は、図４において信号４１２で表されている。
【００６０】
図５は、中継ＵＥ装置が、ブロードキャスト／マルチキャスト情報を遠隔ＵＥ装置に中継する、方法の例のフローチャートである。方法５００のステップは、本明細書に記載され、図５の例において示されているものとは、異なる順序で実行されてよい。更に、いくつかの例において、ステップのうち１つ以上を省略してよい。また、他の例において、１つ以上の追加のステップを加えてよい。
【００６１】
図５に示す例において、方法５００は、中継ＵＥ装置１０６が、遠隔ＵＥ装置１１０からの、ブロードキャスト／マルチキャスト情報の要求を受信する、ステップ５０２から開始する。いくつかの例において、ブロードキャスト／マルチキャスト情報の要求は、ＳＣ−ＰＴＭ（Ｓｉｎｇｌｅ  Ｃｅｌｌ−Ｐｏｉｎｔ  ｔｏ  Ｍｕｌｔｉｐｏｉｎｔ）制御情報の要求を含む。単一セルポイントツーマルチポイント制御情報は、ＳＣ−ＰＴＭサービスに関連付けられたシステム情報ブロック（Ｓｙｓｔｅｍ  Ｉｎｆｏｒｍａｔｉｏｎ  Ｂｌｏｃｋｓ）、及び／又はＳＣ−ＭＣＣＨ（Ｓｉｎｇｌｅ−Ｃｅｌｌ  Ｍｕｌｔｉｃａｓｔ  Ｃｏｎｔｒｏｌ  Ｃｈａｎｎｅｌ）情報を含み得る。どの関心のあるＭＢＭＳサービスがサービングセルによって提供され得るかを、アプリケーション層を通じて、遠隔ＵＥ装置１１０がすでに知っている場合には、ブロードキャスト／マルチキャスト情報の要求は、遠隔ＵＥ装置１１０にとって関心のある１つ以上のＭＢＭＳサービスを表示する、ＭＢＭＳ関心インディケーションメッセージを含む。
【００６２】
ステップ５０４で、中継ＵＥ装置１０６は、ＭＢＭＳ関心インディケーションメッセージを基地局１０２に送信する。このＭＢＭＳ関心インディケーションメッセージは、中継ＵＥ装置１０６が中継モードで動作していることを表示する情報を含む（例えば、「中継情報」）。上記で説明されたように、「中継情報」が必要とされる。ＦｅＭＴＣ（Ｆｕｒｔｈｅｒ  Ｅｎｈａｎｃｅｄ  Ｍａｃｈｉｎｅ  Ｔｙｐｅ  Ｃｏｍｍｕｎｉｃａｔｉｏｎ）  ＵＥ装置は、ＲＲＣ（Ｒａｄｉｏ  Ｒｅｓｏｕｒｃｅ  Ｃｏｎｔｒｏｌ）アイドルモードである間のみ、ＳＣ−ＰＴＭ配信を受信することができるからである。ＦｅＭＴＣ  ＵＥ装置が、遠隔ＵＥ装置１１０のためにＳＣ−ＰＴＭ情報の取得を試み、中継ＵＥ装置１０６としての役割を果たしていることを、基地局１０２に通知することによって、基地局１０２は、中継ＵＥ装置１０６をアイドルモードへと解放するか否かを決定することができる。いくつかの場合において、中継ＵＥ装置１０６がアクティブなトラフィックを有しない場合、基地局１０２は、無活動タイマーが満了する前であっても、中継ＵＥ装置１０６をアイドルモードへと解放することを決定してよい。その他の場合において、中継ＵＥ装置１０６が、アクティブな継続中のトラフィックを有する場合、基地局１０２は、ユニキャスト配信を介して中継ＵＥ装置１０６へ、そして今度は、これもまたユニキャスト配信で遠隔ＵＥ装置１１０へと、ＳＣ−ＰＴＭ制御情報を提供するという選択肢を有する。非ＦｅＭＴＣ  ＵＥ装置については、中継ＵＥ装置１０６が、アイドルモードであるか、ＲＲＣ接続モード（例えば、状態）であるかに関係なく、中継ＵＥ装置１０６がＳＣ−ＰＴＭ制御情報を取得することは、依然として可能であろう。上記のどの選択肢も中継ＵＥ装置１０６にとって利用可能でない場合には、中継ＵＥ装置１０６は、中継ＵＥ装置１０６が、この時ＳＣ−ＰＴＭ情報の中継をサポートできないことを、遠隔ＵＥ装置１１０に通知することができる。利用可能な場合には、遠隔ＵＥ装置１１０は、代替の中継ＵＥ装置を検索するという選択肢を有する。
【００６３】
ステップ５０６で、基地局１０２は、ブロードキャスト／マルチキャスト情報を遠隔ＵＥ装置１１０に提供する。ステップ５０２で、遠隔ＵＥ装置１１０が、ＳＣ−ＰＴＭ制御情報を要求する場合には、ステップ５０６で、基地局１０２は、中継ＵＥ装置１０６を介して、遠隔ＵＥ装置１１０にＳＣ−ＰＴＭ制御情報を提供する。
【００６４】
ステップ５０８で、遠隔ＵＥ装置１１０は、関心のあるＭＢＭＳサービスを、その関心のあるＭＢＭＳサービスの配信方法に基づいて選択し、関心のあるＭＢＭＳサービスのための配信プリファレンスを含む、ＭＢＭＳ関心インディケーションメッセージを中継ＵＥ装置１０６に送信する。このＭＢＭＳ関心インディケーションメッセージを含む信号は、図３において信号３１０で表されている。「配信プリファレンス」は、遠隔ＵＥ装置１１０が、関心のあるＭＢＭＳサービスがブロードキャスト（例えば、ＳＣ−ＰＴＭ）配信を介して提供されることを好むか、ユニキャスト配信を介して提供されることを好むかを、表示する。関心のあるＭＢＭＳサービスが重要でない場合、遠隔ＵＥ装置１１０は、ユニキャストを介して関心のあるＭＢＭＳサービスを取得することを、中継ＵＥ装置１０６に依頼しないことを決定してよい。ユニキャスト配信は、ネットワーク負荷を増大させるからである。関心のあるＭＢＭＳサービスが重要である場合、遠隔ＵＥ装置１１０は、ユニキャストを介して関心のあるＭＢＭＳサービスを取得することを、中継ＵＥ装置１０６に要求するであろう。このＭＢＭＳ関心インディケーションメッセージを受信すると、中継ＵＥ装置１０６は、遠隔ＵＥ装置１１０によって特定される配信プリファレンスを介して、表示された関心のあるＭＢＭＳサービスを基地局に要求する。
【００６５】
その他の場合において、中継ＵＥ装置１０６は、遠隔ＵＥ装置１１０にとって関心のある１つ以上のＭＢＭＳサービスが、ＳＣ−ＰＴＭ配信又はユニキャスト配信を介して、遠隔ＵＥ装置１１０に提供されるべきか否かを決定する。一旦、中継ＵＥ装置１０６によってこの決定がされると、中継ＵＥ装置１０６は、中継ＵＥ装置１０６によって選択された配信プリファレンスを含む、関心のあるＭＢＭＳサービスの要求を基地局１０２に送信する。
【００６６】
ステップ５１０で、基地局１０２は、ブロードキャスト／マルチキャスト情報を遠隔ＵＥ装置１１０に提供する。より詳細には、基地局１０２は、中継ＵＥ装置１０６を介して、関心のあるＭＢＭＳサービスを遠隔ＵＥ装置１１０に提供する。関心のあるＭＢＭＳサービスは、ブロードキャスト配信又はユニキャスト配信を介して提供されることができる。
【００６７】
明らかに、本発明の他の実施形態及び変更は、当業者がこれらの教示を考慮して容易に思いつくであろう。上記の説明は例示であり、限定的なものではない。本発明は、上記の明細書及び添付の図面と併せて見たときに全てのそのような実施形態及び変更を含む、以下の特許請求の範囲によってのみ限定される。そのため、本発明の範囲は、上記の説明に照らして決定すべきでなく、その代わりに、添付の特許請求の範囲の均等物の全範囲とともに、添付の特許請求の範囲に照らして決定されるべきである。
【図１】
2020519156.tif 000003
【図２Ａ】
2020519156.tif 000004
【図２Ｂ】
2020519156.tif 000005
【図３】
2020519156.tif 000006
【図４】
2020519156.tif 000007
【図５】
2020519156.tif 000008
【国際調査報告】
2020519156.tif 000009
2020519156.tif 000010